(57)【要約】【課題】エアゾール容器内に充填されたデオドラント組成物を噴射するためのデオドラントスプレーにおいて、無理な姿勢をとらずに楽に人体の腋に吹き付け可能とする。【解決手段】エアゾール容器２は、有底円筒状に形成され、かつ外径寸法がφ２０ｍｍ〜φ４５ｍｍ及び全長寸法が４５ｍｍ〜１５０ｍｍに設定されているとともに、開放側にバルブ２１が装着されており、バルブ２１にはアクチュエータが装着され、アクチュエータは、側方からエアゾール容器２の中心軸線方向へ向けて押圧可能な指掛け操作部３２ａを有し、指掛け操作部３２ａに対する押圧操作に応答してバルブ２１を開くことにより、エアゾール容器２内に充填されたデオドラント組成物をエアゾール容器２の中心軸線に沿わせて略上方へ噴射する。【選択図】図７
2018039525.tif 000002
【特許請求の範囲】
【請求項１】
エアゾール容器内に充填されたデオドラント組成物を噴射するためのデオドラントスプレーであって、
前記エアゾール容器は、有底円筒状に形成され、かつ外径寸法がφ２０ｍｍ〜φ４５ｍｍ及び全長寸法が４５ｍｍ〜１５０ｍｍに設定されているとともに、開放側にバルブが装着されており、
前記バルブにはアクチュエータが装着され、前記アクチュエータは、側方から前記エアゾール容器の中心軸線方向へ向けて押圧可能な指掛け操作部を有し、前記指掛け操作部に対する押圧操作に応答して前記バルブを開くことにより、前記エアゾール容器内に充填されたデオドラント組成物を前記エアゾール容器の中心軸線に沿わせて外向きに噴射する、
ことを特徴とするデオドラントスプレー。
【請求項２】
請求項１に記載のデオドラントスプレーにおいて、
前記アクチュエータは、前記バルブのステムに取り付けられ、かつ、前記エアゾール容器内のデオドラント組成物を当該エアゾール容器の中心軸線に沿わせて外向きに噴射させるためのノズルと、押圧操作を受けることにより前記ステムを前記エアゾール容器の底側へ変位させるための梃子として機能する操作レバーとを含み、
前記操作レバーは、側方からの押圧を受ける押圧面として前記指掛け操作部を有し、前記指掛け操作部が梃子の力点となり、下方が梃子の支点となるように支持されており、
前記ノズルは、前記バルブのステムに被せられるとともに前記ステムの内部流路と連通される差込孔を有するノズルボディと、このノズルボディから上向きに突出形成されるとともに当該ノズルボディの差込孔と連通する突出管とを備え、
前記指掛け操作部に対する押圧操作により、前記操作レバーが傾動し、前記ステムが前記エアゾール容器の底側へ変位することで、前記バルブが開いて前記エアゾール容器内のデオドラント組成物を噴射する、
ことを特徴とするデオドラントスプレー。
【請求項３】
請求項１又は２に記載のデオドラントスプレーにおいて、
前記エアゾール容器の外周面の周方向に、使用者の一方の手の人差し指、中指、薬指、小指を巻き付け、手の平と前記指で前記エアゾール容器を握るように保持したうえで、当該一方の手の親指を前記エアゾール容器の中心軸線に沿わせるようにして前記指掛け操作部に引っ掛けるような形態で使用される、
ことを特徴とするデオドラントスプレー。
【請求項４】
請求項１から３のいずれか１項に記載のデオドラントスプレーの使用方法であって、
前記デオドラント組成物の噴射先を上向きにした姿勢のエアゾール容器を使用者の一方の腕の親指以外の４本指又は親指と小指以外の３本指で握って肘から下を胴体に対して横切らせるように曲げる一方、
使用者の他方の腕を下げたまま腋の下を開くようにしておき、当該腋の下に前記上向きの前記デオドラント組成物の噴射先を差し入れるようにして、前記一方の腕の親指で前記アクチュエータの指掛け操作部を中心軸線方向へ向けて押圧操作することにより前記バルブを開いて前記エアゾール容器内のデオドラント組成物を前記腋に噴射する、ことを特徴とするデオドラントスプレーの使用方法。
【発明の詳細な説明】
【技術分野】
【０００１】
本発明は、エアゾール容器内に充填されたデオドラント組成物を噴射するためのデオドラントスプレー、及びそのようなデオドラントスプレーの使用方法に関する。
【背景技術】
【０００２】
一般に、人体の腋の汗臭等のケアをするために、デオドラント組成物を塗布するものが汎用されている。
【０００３】
このデオドラント組成物の塗布手段としては、ロールオンタイプ、ローションタイプ、ジェルタイプ、クリームタイプ、スプレータイプなどがあるが、中でも、スプレータイプ（例えば特許文献１−３参照）が、衛生的で、べたつきが少ないなどの点で好適に用いられている。
【０００４】
例えば特許文献１に示されているスプレータイプは、デオドラント組成物及び噴射剤（圧縮ガスあるいは液化ガス等）を収容する有底円筒形のエアゾール容器の開口にバルブを設置し、このバルブのステムに噴射ボタンを取り付け、この噴射ボタンを押し下げることにより当該噴射ボタンの噴射口から前記エアゾール容器の中心軸線方向と直交する方向にデオドラント組成物を噴射するようになっている。
【０００５】
例えば特許文献２に示されているスプレータイプは、デオドラント組成物及び噴射剤（圧縮ガスあるいは液化ガス等）を収容する有底円筒形のエアゾール容器の開口にバルブを設置し、このバルブのステムにほぼ円錐形状のノズルを取り付け、このノズルを斜めに押し下げることによりその先端から前記エアゾール容器の中心軸線に対して斜め外向きにデオドラント組成物を噴射するようになっている。
【０００６】
例えば特許文献３に示されているスプレータイプは、デオドラント組成物及び噴射剤（圧縮ガスあるいは液化ガス等）を収容する有底円筒形のエアゾール容器の開口にバルブを装着し、このエアゾール容器にその全体を覆うように筒状のガイド部材を取り付け、このガイド部材の天井壁部の中央に噴出口が設けられ、前記ガイド部材に対して前記エアゾール容器を押圧して変位させることにより前記バルブのステムから噴出されるデオドラント組成物を前記噴出口から前記エアゾール容器の中心軸線方向と平行な方向に噴射するようになっている。
【先行技術文献】
【特許文献】
【０００７】
【特許文献１】特開平１１−２２８９４３号公報
【特許文献２】特開平１１−２３６０８３号公報
【特許文献３】特開２００４−３３１５１７号公報
【発明の概要】
【発明が解決しようとする課題】
【０００８】
上記特許文献１では、人体の腋にデオドラント組成物を噴射するときに、腕を下ろし、腋をやや開いた状態で使用する際は、エアゾール容器を横倒し姿勢にして使用する必要があり、使いにくいだけでなく、横倒し姿勢にすることによってエアゾール容器内のデオドラント組成物が噴出されにくくなるといった欠点がある。一方、エアゾール容器を正立状態で使用する際には、腕を肩より上に持ち上げて腋を大きく開く必要があり、人前での使用が恥ずかしくなることが懸念される。
【０００９】
上記特許文献２では、デオドラント組成物を噴射するノズルそのものを傾動させるように押圧操作する必要があり、また、前記ノズルが傾くためにデオドラント組成物の噴射先を使用者が把握しにくいので、例えば人体の腋にデオドラント組成物を噴射するときに、腋の狙った位置にデオドラント組成物を吹き付けにくいことが懸念される。
【００１０】
上記特許文献３では、デオドラント組成物を噴射するときに、片方の手でガイド容器を支えたままで当該片方の手でエアゾール容器の底を押圧操作する必要があるために、噴霧時に無理な体勢となり、この操作がしにくいことが懸念される。
【００１１】
このような事情に鑑み、本発明は、無理な姿勢をとらずに楽に人体の腋に吹き付けることが可能なデオドラントスプレー及びデオドラントスプレーの使用方法の提供を目的としている。
【課題を解決するための手段】
【００１２】
上記課題を解決するために、本願記載のデオドラントスプレーは、エアゾール容器内に充填されたデオドラント組成物を噴射するためのデオドラントスプレーであって、前記エアゾール容器は、有底円筒状に形成され、かつ外径寸法がφ２０ｍｍ〜φ４５ｍｍ及び全長寸法が４５ｍｍ〜１５０ｍｍに設定されているとともに、開放側にバルブが装着されており、前記バルブにはアクチュエータが装着され、前記アクチュエータは、側方から前記エアゾール容器の中心軸線方向へ向けて押圧可能な指掛け操作部を有し、前記指掛け操作部に対する押圧操作に応答して前記バルブを開くことにより、前記エアゾール容器内に充填されたデオドラント組成物を前記エアゾール容器の中心軸線に沿わせて外向きに噴射する、ことを特徴とする。
【００１３】
また、前記デオドラントスプレーにおいて、前記アクチュエータは、前記バルブのステムに取り付けられ、かつ、前記エアゾール容器内のデオドラント組成物を当該エアゾール容器の中心軸線に沿わせて外向きに噴射させるためのノズルと、押圧操作を受けることにより前記ステムを前記エアゾール容器の底側へ変位させるための梃子として機能する操作レバーとを含み、前記操作レバーは、側方からの押圧を受ける押圧面として前記指掛け操作部を有し、前記指掛け操作部が梃子の力点となり、下方が梃子の支点となるように支持されており、前記ノズルは、前記バルブのステムに被せられるとともに前記ステムの内部流路と連通される差込孔を有するノズルボディと、このノズルボディから上向きに突出形成されるとともに当該ノズルボディの差込孔と連通する突出管とを備え、前記指掛け操作部に対する押圧操作により、前記操作レバーが傾動し、前記ステムが前記エアゾール容器の底側へ変位することで、前記バルブが開いて前記エアゾール容器内のデオドラント組成物を噴射する、ことを特徴とする。
【００１４】
また、前記デオドラントスプレーにおいて、前記エアゾール容器の外周面の周方向に、使用者の一方の手の人差し指、中指、薬指、小指を巻き付け、手の平と前記指で前記エアゾール容器を握るように保持したうえで、当該一方の手の親指を前記エアゾール容器の中心軸線に沿わせるようにして前記指掛け操作部に引っ掛けるような形態で使用される、ことを特徴とする。
【００１５】
更に、本願記載のデオドラントスプレーの使用方法は、前記デオドラントスプレーの使用方法であって、前記デオドラント組成物の噴射先を上向きにした姿勢のエアゾール容器を使用者の一方の腕の親指以外の４本指又は親指と小指以外の３本指で握って肘から下を胴体に対して横切らせるように曲げる一方、使用者の他方の腕を下げたまま腋の下を開くようにしておき、当該腋の下に前記上向きの前記デオドラント組成物の噴射先を差し入れるようにして、前記一方の腕の親指で前記アクチュエータの指掛け操作部を中心軸線方向へ向けて押圧操作することにより前記バルブを開いて前記エアゾール容器内のデオドラント組成物を前記腋に噴射する、ことを特徴とする。
【００１６】
本願記載のデオドラントスプレーは、使用者が、アクチュエータの指掛け操作部に対して押圧操作を行うことにより、エアゾール容器内のデオドラント組成物がエアゾール容器の中心軸線に沿って上向きに噴射される。
【００１７】
そして、本願記載のデオドラントスプレーの使用方法は、本願記載のデオドラントスプレーを用い、使用者の他方の腕を肩より上に持ち上げずに下げたまま軽く開くようにした状態で、デオドラント組成物の噴射先を使用者の他方の腋へ向けて噴射させることができる。これにより、腕を肩より上に持ち上げてデオドラントスプレーを使用するような従来例に比べると、デオドラントスプレーを使用する行為が容易に行えるとともに、恥ずかしくなりにくいので、人目を気にすることなく使用しやすくなる。
【発明の効果】
【００１８】
本発明は、無理な姿勢をとらずに楽に人体の腋に吹き付けることが可能なデオドラントスプレーならびにデオドラントスプレーの使用方法を提供できるようになる。
【図面の簡単な説明】
【００１９】
【図１】本発明に係るデオドラントスプレーの一例を示す一部破断の側面図である。
【図２】本発明に係るデオドラントスプレーの一例を示す外観斜視図である。
【図３】本発明に係るデオドラントスプレーの一例を示す外観斜視図である。
【図４】本発明に係るデオドラントスプレーが備えるアクチュエータの一例を示す外観図である。
【図５】本発明に係るデオドラントスプレーが備えるアクチュエータの一例を示す側断面図である。
【図６】本発明に係るデオドラントスプレーの一例を示す外観図である。
【図７】本発明に係るデオドラントスプレーの一例を示す側断面図である。
【図８】本発明に係るデオドラントスプレーの一例を示す外観図である。
【図９】本発明に係るデオドラントスプレーの一例を示す側断面図である。
【図１０】本発明に係るデオドラントスプレーの使用時の持ち方の一例を示す説明図である。
【図１１】本発明に係るデオドラントスプレーの使用方法の一例を示す説明図である。
【発明を実施するための形態】
【００２０】
以下、本発明の実施形態について図面を参照しながら説明する。なお、以下の実施形態は、本発明を具現化した一例であって、本発明の技術的範囲を限定する性格のものではない。
【００２１】
＜デオドラントスプレー＞
図１は、本発明に係るデオドラントスプレーの一例を示す一部破断の側面図である。図２及び図３は、本発明に係るデオドラントスプレーの一例を示す外観斜視図である。図は、本発明の実施形態の一例として、携帯型のデオドラントスプレー１の全体を示している。
【００２２】
デオドラントスプレー１は、エアゾール容器２、アクチュエータ３及びキャップ４を備えている。なお、図２及び図３は、キャップ４を外した状態を示している。
【００２３】
エアゾール容器２は、有底円筒状に形成されており、外形寸法がφ２０ｍｍ〜φ４５ｍｍで、全長寸法が４５ｍｍ〜１５０ｍｍに設計されている。エアゾール容器２は、上底側が開口部となっており、開口部には後述するバルブ２１（図７、図９等参照）が装着されている。また、エアゾール容器２の内部には、デオドラント組成物及び噴射剤（圧縮ガス又は液化ガス）が収容されている。エアゾール容器２の上端にはアクチュエータ３が取り付けられており、アクチュエータ３に、キャップ４を着脱することができる。
【００２４】
図４は、本発明に係るデオドラントスプレー１が備えるアクチュエータ３の一例を示す外観図である。図４（ａ）は、正面図、図４（ｂ）は、背面図、図４（ｃ）は、左側面図、図４（ｄ）は、平面図、図４（ｅ）は、底面図である。図５は、本発明に係るデオドラントスプレー１が備えるアクチュエータ３の一例を示す側断面図である。図５は、図４（ｂ）に示すＡ−Ｂ方向の断面を示している。アクチュエータ３は、エアゾール容器２内のデオドラント組成物を、エアゾール容器２の中心軸に沿わせて上向きに噴射するノズル３１を備え、ノズル３１の周囲には円筒状をなす保護カバー３３が配設されている。保護カバー３３の正面側の側壁の一部は開口しており、開口位置には、操作レバー３２が配設されている。
【００２５】
ノズル３１は、ノズルボディ３１ａに円筒状の突出管３１ｂを設けて構成されている。突出管３１ｂの先端には、噴射口３１ｃが設けられている。また、ノズルボディ３１ａの下方には、バルブ２１のステム２１ａを差し込む差込孔３１ｄが設けられている。差込孔３１ｄ、ノズルボディ３１ａ、突出管３１ｂ及び噴射口３１ｃは連通しており、エアゾール容器２の内容物は、噴射口３１ｃから外部上方へ向けて噴射される。
【００２６】
操作レバー３２の側断面は、デオドラントスプレー１の外周側を下底とし、中心軸側を上底とする台形状（下底の長さ＞上底の長さ）をなしている。操作レバー３２の外周側（下底）には、外周面に相当する面を操作面とする板状の指掛け操作部３２ａが形成されている。指掛け操作部３２ａとして形成された外周側の面は、中心軸側に向けて緩やかに凹む形状となっており、使用者がデオドラントスプレー１を掴んだ際に、親指が凹み部分に当接するようになっている。操作レバー３２の中心軸側（上底）は、エアゾール容器２の中心軸に沿って配設されたノズル３１に固着して一体化している。また、操作レバー３２は、外周側下端の支持部３２ｃにより揺動自在に軸支されている。そして、使用者が指掛け操作部３２ａに指を当接し、エアゾール容器２の中心軸方向へ向けて押圧操作することにより、操作レバー３２は、支持部３２ｃを揺動軸として、中心軸方向へ傾動（揺動）する。
【００２７】
図６は、本発明に係るデオドラントスプレー１の一例を示す外観図であり、図７は、本発明に係るデオドラントスプレー１の一例を示す側断面図である。図６及び図７は、デオドラントスプレー１の上部について、操作レバー３２を押圧操作していない状態について示している。図８は、本発明に係るデオドラントスプレー１の一例を示す外観図であり、図９は、本発明に係るデオドラントスプレー１の一例を示す側断面図である。図８及び図９は、デオドラントスプレー１の上部について、操作レバー３２を押圧操作した状態について示している。
【００２８】
ノズル３１は、エアゾール容器２内のデオドラント組成物を当該エアゾール容器２の中心軸線に沿わせて略上方へ噴射するものであって、バルブ２１のステム２１ａに取り付けられる。ステム２１ａから噴射されたエアゾール容器２の内容物は、ノズル３１を通って、噴射口３１ｃから略上方へ向けて噴射される。
【００２９】
操作レバー３２は、前述のように、指掛け操作部３２ａ、ノズル３１に固着するノズル固着部３２ｂ及び支持部３２ｃを備えている。そして、指掛け操作部３２ａが押圧操作を受けることにより、傾動してノズル３１を側方から押圧し、ステム２１ａをエアゾール容器２の底側へ押し下げる。これにより、ステム２１ａがエアゾール容器２の底側へ変位する。このとき、操作レバー３２は、指掛け操作部３２ａを力点とし、ノズル固着部３２ｂを作用点とし、支持部３２ｃを支点とする梃子として機能する。
【００３０】
そして、指掛け操作部３２ａを押圧操作することにより、ステム２１ａが押し下げられるので、バルブ２１が開弁状態になる。
【００３１】
バルブ２１が開弁状態となることにより、エアゾール容器２内に充填されている噴射剤の圧力でもってデオドラント組成物がステム２１ａの内部流路を経て外側に噴射されるようになる。このデオドラント組成物の噴射方向は、エアゾール容器２の中心軸線と略平行となる略上方向となる。
【００３２】
このような特徴構成を有するデオドラントスプレー１において、エアゾール容器２の外径寸法はφ２０ｍｍ〜φ４５ｍｍ、好ましくはφ２０ｍｍ〜φ３５ｍｍに設計される。また、エアゾール容器２の全長寸法は、４５ｍｍ〜１５０ｍｍ、好ましくは４５ｍｍ〜１２０ｍｍ、より好ましくは４５ｍｍ〜１００ｍｍに設計される。更に、エアゾール容器２の容量については、５ｍＬ〜１５０ｍＬ、好ましくは１０ｍＬ〜１００ｍＬ、より好ましくは１０ｍＬ〜６０ｍＬに設計される。
【００３３】
ステム２１ａを備えるバルブ２１は、公知の構成であるので詳細な説明を割愛するが、ステム２１ａが押し下げられていない自然状態では、内蔵するコイルスプリングの弾性復元力（弾性伸張力）により上方に配置されることにより閉弁状態になっている。ステム２１ａがコイルスプリングの弾性伸張力に抗して押し下げられると、エアゾール容器２に収容された噴射剤の圧力によりデオドラント組成物がステム２１ａの内部流路を経て外側に噴射される開弁状態になる。
【００３４】
＜デオドラント組成物＞
次に、エアゾール容器２内に充填されるデオドラント組成物について説明する。デオドラント組成物は、デオドラント効果を十分に発揮する組成物であれば特に限定されないが、例えば、制汗成分、殺菌成分、冷感成分等が配合された組成物が挙げられる。
【００３５】
具体的な制汗成分としては、例えば、塩化アルミニウム、硫酸アルミニウムカリウム、硫酸アルミニウム、酢酸アルミニウム、クロルヒドロキシアルミニウム、アラントインクロルヒドロキシアルミニウム、フェノールスルホン酸アルミニウム、アクリル樹脂被覆アルミニウム末、アラントインジヒドロキシアルミニウム、アルミニウム末、イソステアリン酸アルミニウム、オクテニルコハク酸トウモロコシデンプンアルミニウム、含硫ケイ酸アルミニウム、ケイ酸アルミニウムマグネシウム、酸化アルミニウム、ジミリスチン酸アルミニウム、水酸化アルミニウム、ステアリン酸アルミニウム、ケイ酸アルミニウム、ミリスチン酸アルミニウム、硫酸アルミニウムアンモニウム、リン酸ジセチルアルミニウム等のアルミニウム化合物；パラフェノールスルホン酸亜鉛、硫酸亜鉛、酸化亜鉛、塩化亜鉛、炭酸亜鉛、グルコン酸亜鉛、ステアリン酸亜鉛、ウンデシレン酸亜鉛、パルミチン酸亜鉛、ピリチオン亜鉛、ミリスチン酸亜鉛、ラウリン酸亜鉛等の亜鉛化合物；クロルヒドロキシジルコニウム、酸化ジルコニウム等のジルコニウム化合物などが挙げられる。
【００３６】
具体的な殺菌成分としては、例えば、イソプロピルメチルフェノール、グルコン酸クロルヘキシジン、トリクロサン、トリクロロカルバニリド、ハロカルバン、フェノキシエタノール、サリチル酸、サリチル酸ナトリウム、サリチル酸メチル、サリチル酸グリコール、アセチルサリチル酸等のフェノール誘導体；塩化ベンザルコニウム、塩化ベンゼトニウム、塩化セチルトリメチルアンモニウム、塩化セチルピリジニウム等の４級アンモニウム塩；感光素１０１号、感光素２０１号、感光素４０１号等の感光素；ソルビン酸、ソルビン酸カリウム、塩化アルキルジアミノエチルグリシン液、茶エキス、ヒノキチオールなどが挙げられる。
【００３７】
具体的な冷感成分としては、例えば、ｌ−メントール、メンチルグリセリルエーテル、メンチルラクテート、１−メンチル−３−ヒドロキシブチレート、ｄｌ−カンファ、オイゲノール、メントン、ミント、サリチル酸メンチル、ユーカリ油などが挙げられる。
【００３８】
また、前記デオドラント組成物には、公知の成分を配合することもできる。例えば、シリコーン油、脂肪酸エステル油、不溶性紛体、各種植物抽出物、香料、エタノール、精製水等を目的に応じて適宜配合することができる。
【００３９】
一方、前記デオドラント組成物を噴射するための噴射剤としては、特に限定されないが、液化石油ガス（ＬＰＧ）、ジメチルエーテル（ＤＭＥ）、イソペンタン等の液化ガス、あるいは窒素ガス、亜酸化窒素ガス、炭酸ガス、圧縮空気等の圧縮ガスなどが挙げられる。
【００４０】
なお、前記デオドラント組成物と前記噴射剤とを含む場合、デオドラント組成物中に噴射剤の一部が溶け込み完全に相溶し均一になっていてもよいし、噴射剤がデオドラント組成物中に溶け込まずに両者が不均一の状態で存在していてもよい。また、デオドラント組成物と噴射剤との配合比率も噴射強弱を踏まえ適宜設定することができる。
【００４１】
＜デオドラントスプレーの使用方法＞
次に、デオドラントスプレー１の使用方法について説明する。
【００４２】
図１０は、本発明に係るデオドラントスプレー１の使用時の持ち方の一例を示す説明図である。図１１は、本発明に係るデオドラントスプレー１の使用方法の一例を示す説明図である。前述のように、エアゾール容器２の外径寸法及び全長寸法を設計した場合には、例えば図１０に示すように、当該エアゾール容器２の外周面に使用者が一方の手の親指以外の４本指（人差し指、中指、薬指、小指）又は親指と小指以外の３本指（人差し指、中指、薬指）を巻き付けるようにしたうえで、前記一方の手の親指をエアゾール容器２の中心軸線に沿わせるようにして指掛け操作部３２ａの自由端側に引っ掛ける行為が比較的容易に行えるようになる。
【００４３】
特に、この実施形態では、図１０に示すように、人差し指が保護カバー３３の外周面に当たるように握持することが好ましい。図１０に示すように握持することで、指掛け操作部３２ａを側方から押圧する親指による押圧操作に対し、反対側を人差し指で支えることができるので、デオドラントスプレー１の姿勢が安定し、使用者の握力が比較的弱い場合であっても、デオドラント組成物の噴射操作を比較的容易に行えるようになり、噴射方向が安定する。また、使用者の手の動きに無理が無く、自然な動きとなるので、エアゾール容器２の取り扱いが比較的容易に行えるようになる。
【００４４】
そして、図１１に示すように、デオドラントスプレー１を人体の腋に吹き付ける場合においては、エアゾール容器２のノズル３１を上向きにしてから人体の他方の腕側の腋の下に差し入れて、当該ノズル３１から噴射されるデオドラント組成物を前記腋に向けて吹き付けることが可能になる。
【００４５】
具体的に、まず、図１０に示すように、ノズル３１の突出管３１ｂを上向きにした姿勢のエアゾール容器２を使用者の一方の腕の親指以外の４本指又は親指と小指以外の３本指で握って肘から下を胴体に対して横切らせるように曲げる一方で、図１１に示すように、使用者の他方の腕を下げたまま胴体から離して腋の下を開くことにより、当該胴体の一側と前記他方の腕とを正面視で逆さＶ字形に形付けるようにし、前記他方の腕側の腋の下にノズル３１の突出管３１ｂを差し入れるようにする。
【００４６】
このようにしてから、前記一方の腕の親指で指掛け操作部３２ａを押圧操作することにより、バルブ２１を開いてエアゾール容器２内のデオドラント組成物を前記腋に向けて噴射させるようにする。
【００４７】
このように、デオドラントスプレー１を使用するにあたって、使用者の前記他方の腕を下げたまま、つまり肩より上に持ち上げずに腋を少し開いた状態にしておいて、当該使用者の前記一方腕の手でエアゾール容器２を握って、バルブ２１を前記他方の腕側の腋の下から差し入れるようにして、指掛け操作部３２ａを前記一方の手の親指で押圧操作するようにしている。
【００４８】
このような使用の過程では、使用者が両方の腕及び手を無理に動かすことなく自然な状態で動かすことにより、エアゾール容器２を前記他方の手の前記４本指又は前記３本指で包むように握ることが可能になるとともに、デオドラント組成物の噴射先を使用者の一方腕側の腋へ向けやすくなる。
【００４９】
このようなことから、一方腕を肩より上に持ち上げてデオドラントスプレー１を使用する場合に比べると、デオドラントスプレー１を使用する行為を容易に行えるようになるとともに、恥ずかしくなりにくいので、人目を気にすることなく使用しやすくなる。
【００５０】
本発明は、以上説明した実施形態に限定されるものではなく、他のいろいろな形態で実施することが可能である。そのため、かかる実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【産業上の利用可能性】
【００５１】
本発明は、エアゾール容器内に充填されたデオドラント組成物を噴射するためのデオドラントスプレー及びデオドラントスプレーの使用方法に好適に利用することが可能である。
【符号の説明】
【００５２】
１      デオドラントスプレー
２      エアゾール容器
２１    バルブ
２１ａ  ステム
３      アクチュエータ
３１    ノズル
３１ａ  ノズルボディ
３１ｂ  突出管
３１ｃ  噴射口
３１ｄ  差込孔
３２    操作レバー
３２ａ  指掛け操作部
３２ｂ  ノズル固着部
３２ｃ  支持部
３３    保護カバー
４      キャップ
【図１】
2018039525.tif 000003
【図２】
2018039525.tif 000004
【図３】
2018039525.tif 000005
【図４】
2018039525.tif 000006
【図５】
2018039525.tif 000007
【図６】
2018039525.tif 000008
【図７】
2018039525.tif 000009
【図８】
2018039525.tif 000010
【図９】
2018039525.tif 000011
【図１０】
2018039525.tif 000012
【図１１】
2018039525.tif 000013